(57)【要約】【課題】各車輪の制動力を制御することで車体速度を低速に保つ制御を行う際に、よりドライバの違和感を緩和できるようにする。【解決手段】車両停止状態と通常走行状態とを判定し、車両停止状態と判定されたときにフィードバック制御におけるブレーキ制御の制御量がより素早く低下するような補正を行う。つまり、オフロードなどにおいて、クロール制御を実行している場合、基本的にはドライバは車両を停止させようとしていないと考えられるため、車両を停止させようとしていないのに停止してしまっている可能性がある。このような場合には、フィードバック制御におけるブレーキ制御の制御量がより素早く低下するような補正を行うことで、より素早くブレーキが抜けるように応答性を高くし、よりドライバの違和感を緩和できるようにする。【選択図】図６
2015047897.tif 000002
【特許請求の範囲】
【請求項１】
所定の制御周期毎に車体速度と目標速度との偏差に基づいてフィードバック制動力を演算し、該フィードバック制動力を発生させることで車体速度を目標速度に近づけるフィードバック制御を行うフィードバック制御手段と、
車両が走行中である通常走行状態であるか停止した車両停止状態であるかを判定する走行状態判定手段と、
前記車両停止状態であると判定されたときに、前記通常走行状態のときよりも、前記フィードバック制動力の演算に用いられる該フィードバック制動力の減少側ゲインを高く補正するゲイン補正手段と、を有していることを特徴とする車両制御装置。
【請求項２】
ドライバによるブレーキ操作が為されたか否かを判定するブレーキ操作判定手段を有し、
前記ゲイン補正手段は、前記車両停止状態において、前記ブレーキ操作が為されたことが判定されたら、前記減少側ゲインを更に高く補正することを特徴とする請求項１に記載の車両制御装置。
【請求項３】
前記車両の走行路面の坂路勾配を取得する勾配取得手段を有し、
前記ゲイン補正手段は、前記車両停止状態において、前記坂路勾配が急勾配であるときの方が緩勾配であるときと比較して、前記減少側ゲインを低く補正することを特徴とする請求項１または２に記載の車両制御装置。
【請求項４】
前記ゲイン補正手段は、前記減少側ゲインを高く補正するときに、２系統ある制動系のうちの１系統のみについて、前記減少側ゲインを高く補正することを特徴とする請求項１ないし３のいずれか１つに記載の車両制御装置。
【発明の詳細な説明】
【技術分野】
【０００１】
本発明は、車体速度を低速に保つように各車輪の制動力を制御する車両制御装置に関するものである。
【背景技術】
【０００２】
従来より、各車輪の制動力を制御することで車体速度を低速に保つ制御を行う車両制御装置が提案されている（例えば、特許文献１参照）。例えば、車体速度を低速に保つ制御としては、クロール制御（CRAWL  Control）と呼ばれる砂地、ダート、岩石路などのオフロードや雪道、急勾配な坂道などの速度調整が必要となる路面において車体速度を一定速度に維持する制御や、ダウンヒルアシスト制御（DAC：Downhill Assist Control）と呼ばれる降坂路において車体速度を一定速度に維持する制御などが挙げられる。そして、例えばクロール制御やダウンヒルアシスト制御では、目標速度と車体速度との偏差に基づいて各車輪の制動力をフィードバック制御することで、車体速度を低速に保つようにしている。
【先行技術文献】
【特許文献】
【０００３】
【特許文献１】特開２００４−９０６７９号公報
【発明の概要】
【発明が解決しようとする課題】
【０００４】
クロール制御やダウンヒルアシスト制御のように、低速領域では高い応答性が求められるため、素早くホイールシリンダ（以下、Ｗ／Ｃという）圧を昇圧させることが必要になる。例えば、オフロードを走行する場合には、車両の走行路面の傾斜や路面状態が急変して車両の走行状態が急変するということが頻繁に発生するため、より素早くＷ／Ｃ圧を昇圧させられることが望ましい。
【０００５】
しかしながら、従来のように、目標速度と車体速度との偏差に基づいて各車輪の制動力をフィードバック制御するという手法では、目標制動力を車両の走行状態の変化に合わせて変化させることができず、十分に応答できなくて、ドライバに違和感を与えることがあった。特に、ブレーキシステムとして、ハイドロブースタのように高い昇圧能力を有しているものが用いられる場合には素早くＷ／Ｃ圧を昇圧させられるが、昇圧能力が低いシステムが用いられる場合には素早くＷ／Ｃ圧を昇圧させるのが困難である。このため、Ｗ／Ｃ圧の昇圧遅れを発生させることで、ドライバにブレーキの掛け遅れによる違和感を与えたり、Ｗ／Ｃ圧の昇圧遅れやＷ／Ｃ圧の抜き遅れによって制動力が変動してしまい、車体速度が目標速度を中心として変動する速度ハンチングを発生させることもあった。
【０００６】
本発明は上記点に鑑みて、各車輪の制動力を制御することで車体速度を低速に保つ制御を行う際に、よりドライバの違和感を緩和できるようにした車両制御装置を提供することを目的とする。
【課題を解決するための手段】
【０００７】
上記目的を達成するため、請求項１に記載の発明では、所定の制御周期毎に車体速度と目標速度との偏差に基づいてフィードバック制動力を演算し、該フィードバック制動力を発生させることで車体速度を目標速度に近づけるフィードバック制御を行うフィードバック制御手段と、車両が走行中である通常走行状態であるか停止した車両停止状態であるかを判定する走行状態判定手段と、車両停止状態であると判定されたときに、通常走行状態のときよりも、フィードバック制動力の演算に用いられる該フィードバック制動力の減少側ゲインを高く補正するゲイン補正手段と、を有していることを特徴としている。
【０００８】
このように、車両停止状態と通常走行状態とを判定し、車両停止状態と判定されたときにフィードバック制動力がより素早く低下するような補正を行う。ドライバが目標速度を設定してその目標速度となるように車両制御を行っている場合、例えば、オフロードなどにおいて、クロール制御を実行している場合、基本的にはドライバは車両を停止させようとしていないと考えられるため、車両を停止させようとしていないのに停止してしまっている可能性がある。このような場合には、フィードバック制動力がより素早く低下するような補正を行うことで、より素早くブレーキが抜けるように応答性を高くする。これにより、よりドライバの違和感を緩和することが可能となる。
【０００９】
請求項２に記載の発明では、ドライバによるブレーキ操作が為されたか否かを判定するブレーキ操作判定手段を有し、ゲイン補正手段は、車両停止状態において、ブレーキ操作が為されたことが判定されたら、減少側ゲインを更に高く補正することを特徴としている。
【００１０】
例えば、車体速度が目標速度となるようにフィードバック制動力を発生させている場合においてブレーキ操作が行われたときには、フィードバック制動力については素早く解除し、ドライバのブレーキ操作に基づくＷ／Ｃ圧の昇圧に変更する方がドライバの操作に合致した制動力を発生させられる。このため、車両停止状態においてブレーキ操作が為された場合に、更に減少側ゲインを高くする補正を行うことで、クロール制御におけるフィードバック制動力を素早く解除でき、ドライバの操作に合致した制動力を発生させることが可能となる。
【００１１】
請求項３に記載の発明では、車両の走行路面の坂路勾配を取得する勾配取得手段を有し、ゲイン補正手段は、車両停止状態において、坂路勾配が急勾配であるときの方が緩勾配であるときと比較して、減少側ゲインを低く補正することを特徴としている。
【００１２】
坂路勾配が急勾配の場合、制動力を低下させてブレーキを抜いたときに加速し易くなるが、加速した場合に直ぐには車両を停止させることができない。このため、坂路勾配が急勾配である場合には緩勾配のときよりも減少側ゲインを低くすることで、緩やかに制動力が低下させられるようにし、車両が加速し難くなるようにすると好ましい。
【００１３】
請求項４に記載の発明では、ゲイン補正手段は、減少側ゲインを高く補正するときに、２系統ある制動系のうちの１系統のみについて、減少側ゲインを高く補正することを特徴としている。
【００１４】
このようにすれば、４輪すべてにおいてブレーキ抜けが早く行われた場合に生じるブレーキの抜き過ぎを防止できる。
【００１５】
この場合において、制動系が前後配管とされている場合、両前輪の方については減少側ゲインを高くする補正を行わず、両後輪の方についてのみ減少側ゲインを高くする補正を行うようにすると好ましい。例えば下り坂においては、両後輪について両前輪よりも先にブレーキが抜けるようにした方が車両の安定性が高くなる。このため、両後輪の方についてのみ減少側ゲインを高くする補正を行うことで、両後輪について両前輪よりも先にブレーキが抜けるようにでき、車両の安定性を高めることが可能となる。
【図面の簡単な説明】
【００１６】
【図１】本発明の第１実施形態にかかる車両制御装置が適用される車両の制駆動系のシステム構成を示した図である。
【図２】車両停止時間と減少側ゲインBrakeDownGainとの関係を示したマップの一例を示した図である。
【図３】路面勾配と減少側ゲインBrakeDownGainとの関係を示したマップの一例を示した図である。
【図４】減少側ゲインBrakeDownGainと後輪ＲＲ、ＲＬ側の減少側ゲインBrakeDownGainRearの関係を示すマップの一例を示した図である。
【図５（ａ）】ＴＲＣを含めたクロール制御の全体を示したフローチャートである。
【図５（ｂ）】図５（ａ）に続く、ＴＲＣを含めたクロール制御の全体を示したフローチャートである。
【図６】減少側ゲインBrakeDownGainの補正演算処理の詳細を示したフローチャートである。
【図７】下り坂においてフィードバック制御における減少側ゲインBrakeDownGainの補正を実行した場合を示したタイムチャートである。
【図８】急勾配の下り坂においてフィードバック制御における減少側ゲインBrakeDownGainの補正を実行した場合を示したタイムチャートである。
【発明を実施するための形態】
【００１７】
以下、本発明の実施形態について図に基づいて説明する。なお、以下の各実施形態相互において、互いに同一もしくは均等である部分には、同一符号を付して説明を行う。
【００１８】
（第１実施形態）
図１は、本発明の第１実施形態にかかる車両制御装置が適用される車両の制駆動系のシステム構成を示した図である。ここでは、前輪側を主駆動輪、後輪側を従駆動輪とする駆動形態のフロント駆動ベースの４輪駆動車に対して本発明の一実施形態となる車両制御装置を適用した場合について説明するが、後輪側を主駆動輪、前輪側を従駆動輪とする駆動形態のリア駆動ベースの４輪駆動車に対しても適用可能である。
【００１９】
図１に示されるように、４輪駆動車の駆動系は、エンジン１、トランスミッション２、駆動力配分制御アクチュエータ３、フロントプロペラシャフト４、リアプロペラシャフト５、フロントデファレンシャル６、フロントドライブシャフト７、リアデファレンシャル８およびリアドライブシャフト９を有した構成とされ、エンジン制御手段となるエンジンＥＣＵ１０などによって制御されている。
【００２０】
具体的には、アクセルペダル１１の操作量がエンジンＥＣＵ１０に入力されると、エンジンＥＣＵ１０によってエンジン制御が行われ、そのアクセル操作量に応じた駆動力を発生させるのに必要なエンジン出力（エンジントルク）が発生させられる。そして、このエンジン出力がトランスミッション２に伝えられ、トランスミッション２で設定されたギア位置に応じたギア比で変換されたのち、駆動力配分制御手段となる駆動力配分制御アクチュエータ３に伝えられる。トランスミッション２には、変速機２ａと副変速機２ｂが備えられており、通常走行時には変速機２ａで設定されたギア位置に応じた出力が駆動力配分制御アクチュエータ３に伝えられ、オフロード走行時や坂路走行時などにおいて副変速機２ｂが作動させられたときには副変速機２ｂで設定されたギア位置に応じた出力が駆動力配分制御アクチュエータ３に伝えられる。そして、駆動力配分制御アクチュエータ３によって決められた駆動力配分にしたがって、フロントプロペラシャフト４とリアプロペラシャフト５に駆動力が伝達される。
【００２１】
その後、フロントプロペラシャフト４にフロントデファレンシャル６を介して接続されたフロントドライブシャフト７を通じて前輪ＦＲ、ＦＬに前輪側の駆動力配分に応じた駆動力が付与される。また、リアプロペラシャフト５にリアデファレンシャル８を介して接続されたリアドライブシャフト９を通じて後輪ＲＲ、ＲＬに後輪側の駆動力配分に応じた駆動力が付与される。
【００２２】
エンジンＥＣＵ１０は、ＣＰＵ、ＲＯＭ、ＲＡＭ、Ｉ／Ｏなどを備えた周知のマイクロコンピュータによって構成され、ＲＯＭなどに記憶されたプログラムに従った各種演算や処理を実行することでエンジン出力（エンジントルク）を制御し、各輪ＦＬ〜ＲＲに発生させられる駆動力を制御する。例えば、エンジンＥＣＵ１０は、周知の手法によりアクセル開度を入力し、アクセル開度や各種エンジン制御に基づいてエンジン出力を演算する。そして、このエンジンＥＣＵ１０からエンジン１に対して制御信号を出力することにより、燃料噴射量の調整などを行い、エンジン出力を制御する。エンジンＥＣＵ１０では、アクセル開度がアクセルオン閾値を超えている場合にアクセルペダル１１がオンしていると判定できるが、本実施形態では、アクセルペダル１１の操作が行われているか否かを示すアクセルスイッチ１１ａを備えており、このアクセルスイッチ１１ａの検知信号を入力することによってアクセルペダル１１がオンしていることを検知している。また、エンジンＥＣＵ１０では、トラクション制御（以下、ＴＲＣという）も実行している。例えば、エンジンＥＣＵ１０は、後述するブレーキＥＣＵ１９から車輪速度や車体速度（推定車体速度）に関する情報を取得し、これらの偏差で表される加速スリップが抑制されるように、ブレーキＥＣＵ１９に制御信号を出力して制御対象輪に制動力を加えることで駆動力を低下させる。これにより、加速スリップが抑制されて、効率良く車両を加速させられるようにしている。
【００２３】
なお、ここでは図示していないが、トランスミッション２の制御はトランスミッションＥＣＵで行われ、駆動力配分制御については駆動力配分ＥＣＵなどで行われている。これら各ＥＣＵとエンジンＥＣＵ１０とは車載ＬＡＮ１２を通じて互いに情報交換を行っている。図１では、トランスミッション２の情報が直接エンジンＥＣＵ１０に入力されるようになっているが、例えばトランスミッションＥＣＵから出力されたトランスミッション２のギア位置情報が車載ＬＡＮ１２を通じてエンジンＥＣＵ１０に入力されるようになっていても良い。
【００２４】
一方、制動系を構成するサービスブレーキは、ブレーキペダル１３、マスタシリンダ（以下、Ｍ／Ｃという）１４、ブレーキアクチュエータ１５、Ｗ／Ｃ１６ＦＬ〜１６ＲＲ、キャリパ１７ＦＬ〜１７ＲＲ、ディスクロータ１８ＦＬ〜１８ＲＲなどを有した構成とされ、ブレーキ制御手段となるブレーキＥＣＵ１９によって制御されている。
【００２５】
具体的には、ブレーキペダル１３が踏み込まれて操作されると、そのブレーキ操作量に応じてＭ／Ｃ１４内にブレーキ液圧が発生させられ、それがブレーキアクチュエータ１５を介してＷ／Ｃ１６ＦＬ〜１６ＲＲに伝えられる。これにより、キャリパ１７ＦＬ〜１７ＲＲによってディスクロータ１８ＦＬ〜１８ＲＲが挟み込まれることで、制動力が発生させられるようになっている。このような構成のサービスブレーキは、Ｗ／Ｃ１６ＦＬ〜１６ＲＲを自動加圧できる構成であればどのようなものであっても良く、ここでは油圧によりＷ／Ｃ圧を発生させられる油圧サービスブレーキを例に挙げているが、電気的にＷ／Ｃ圧を発生させるブレーキバイワイヤなどの電動サービスブレーキであっても良い。
【００２６】
ブレーキＥＣＵ１９は、ＣＰＵ、ＲＯＭ、ＲＡＭ、Ｉ／Ｏなどを備えた周知のマイクロコンピュータによって構成され、ＲＯＭなどに記憶されたプログラムに従った各種演算や処理を実行することで制動力（制動トルク）を制御し、各輪ＦＬ〜ＲＲに発生させられる制動力を制御する。具体的には、ブレーキＥＣＵ１９は、各車輪ＦＬ〜ＲＲに備えられた車輪速度センサ２０ＦＬ〜２０ＲＲからの検出信号を受け取って、車輪速度や車体速度などの各種物理量を演算したり、ブレーキスイッチ２１の検出信号を入力し、物理量の演算結果およびブレーキ操作状態に基づいてブレーキ制御を行う。また、ブレーキＥＣＵ１９は、Ｍ／Ｃ圧センサ２２の検出信号を受け取ってＭ／Ｃ圧を検出している。
【００２７】
また、ブレーキＥＣＵ１９は、制動力の制御に基づいて、オフロード等における車両制御であるクロール制御等も実行している。具体的には、ブレーキＥＣＵ１９は、ドライバがクロール制御を要求する際に操作するクロールスイッチ２３や目標速度設定スイッチ２４の検出信号および前後加速度を検出する加速度センサ２５の検出信号を入力し、これらの検出信号に基づいてクロール制御を実行している。クロールスイッチ２３は、基本的にはオフロード走行を行う場合に押下されると考えられるが、急坂路などにおいて押下されても同様の制御が行われる。目標速度設定スイッチ２４は、クロール制御が実行されるときの目標速度を設定するために用いられ、例えば１〜５ｋｍ／ｈの速度範囲において目標速度を設定する。なお、図１ではＭ／Ｃ圧センサ２２と加速度センサ２５の検出信号はブレーキアクチュエータ１５を介して、ブレーキＥＣＵ１９へ入力されるようになっているが、各センサから直接ブレーキＥＣＵ１９へ入力される構成であっても良い。
【００２８】
以上のようにして、本実施形態にかかる車両制御装置が適用される車両の制駆動系のシステムが構成されている。続いて、上記のように構成された車両制御装置の作動について説明する。なお、本実施形態にかかる車両制御装置では、車両制御として通常のエンジン制御やブレーキ制御も行っているが、これらについては従来と同様であるため、ここでは本発明の特徴に関わるクロール制御について説明する。本実施形態の場合、クロール制御のうちのブレーキ制御を車両制御として実行しており、ブレーキＥＣＵ１９がその制御を実行していることから、ブレーキＥＣＵ１９によって車両制御装置が構成されている。
【００２９】
クロール制御は、ドライバがクロールスイッチ２３を押下し、かつ、目標速度設定スイッチ２４で目標速度TBVを設定して、クロール制御の実行要求があったときに実行される。本実施形態にかかる車両制御装置では、クロール制御として、ドライバが目標速度TBVを設定すると、車体速度V0と目標速度TBVとの偏差に基づいてブレーキ制御の制御量を設定することでフィードバック制御を行うのに加えて、応答性を高めるための処理を行っている。目標速度TBVは、クロールスイッチ２３の操作に伴ってドライバが設定できるようになっており、例えば１〜５ｋｍ／ｈの速度範囲において任意に設定可能となっている。車体速度V0は、ブレーキＥＣＵ１９で演算されており、各車輪ＦＬ〜ＲＲに備えられた車輪速度センサ２０ＦＬ〜２０ＲＲの検出信号から求められる車輪速度に基づいて周知の手法にて演算される。そして、車体速度V0が目標速度TBVに近づくように、基本的には、車体速度V0と目標速度TBVとの偏差に基づき、車体速度V0が目標速度TBVよりも大きくなるほどフィードバック制御の制御量が大きくなるようにしている。
【００３０】
ただし、オフロードを走行する場合のように、車両の走行路面の傾斜や路面状態が急変して車両の走行状態が急変するということが頻繁に発生する場合、走行状態の急変に合わせて応答性良く目標制動力を変化させ、より素早くＷ／Ｃ圧を昇圧させられるようにすることが望ましい。このため、単なるフィードバック制御では、目標制動力を車両の走行状態の変化に合わせて変化させることができず、十分に応答できなくて、ドライバに違和感を与えてしまう。フィードバック制御における制御量を大きく設定すれば、高い応答性が得られるが、目標速度TBV近辺において常に車体速度V0が上下して、頻繁に加減速を繰り返すことになるため、単にフィードバック制御の制御量を大きくするのは好ましくない。
【００３１】
このため、ここでは、以下のように車両停止状態と通常走行状態とを判定し、車両停止状態と判定されたときにフィードバック制御におけるブレーキ制御の制御量がより素早く低下するような補正を行う。つまり、オフロードなどにおいて、クロール制御を実行している場合、基本的にはドライバは車両を停止させようとしていないと考えられるため、車両を停止させようとしていないのに停止してしまっている可能性がある。このような場合には、フィードバック制御におけるブレーキ制御の制御量がより素早く低下するような補正を行うことで、より素早くブレーキが抜けるように応答性を高くし、よりドライバの違和感を緩和できるようにする。具体的には、以下に示す（１）〜（４）の各制御を実行する。なお、本明細書では、フィードバック制御によるブレーキ制御の制御量としてフィードバック制動力と記載するが、フィードバック制動力としては制動トルクを想定している。ただし、制動トルクに対応する制御量として用いられることができる他の制御量、例えばＷ／Ｃ圧などであっても構わない。
【００３２】
（１）車両停止状態と通常走行状態とを判定し、車両停止状態と判定されたときには通常走行状態と比較して、フィードバック制動力FBbrakeForceがより素早く減少するように、フィードバック制御における減少側ゲインBrakeDownGainを高くする補正を行う。車両停止状態と通常走行状態との判定については、例えば車輪速度センサ２０ＦＬ〜２０ＲＲからの検出信号に基づいて得られる車輪速度から車体速度V0を演算し、この車体速度V0が０であれば車両停止状態、０でなければ通常走行状態と判定することにより行える。フィードバック制御における減少側ゲインBrakeDownGainについては、例えば車両停止時間と減少側ゲインBrakeDownGainとの関係を示したマップを作成し、そのマップに示されたマップゲインBrakeDownGainMAPを用いて車両停止時間に対応する減少側ゲインBrakeDownGainを設定できる。
【００３３】
図２は、車両停止時間と減少側ゲインBrakeDownGainとの関係を示したマップの一例を示した図である。この図に示すように、車両停止時間が多くなるほど減少側ゲインBrakeDownGainが大きな値となるようなマップゲインBrakeDownGainMAPとし、減少側ゲインBrakeDownGainをこのマップゲインBrakeDownGainMAPに設定することができる。
ここでは、車両停止時間が第１所定時間（例えば、０．５ｓ）までは車両停止時間が長くなるのに従って所定の勾配でマップゲインBrakeDownGainMAPを増加させ、車両停止時間が第１所定時間よりも長くなるとマップゲインBrakeDownGainMAPの増加勾配をより大きくし、更に車両停止時間が第２所定時間（例えば、１．０）になるとマップゲインBrakeDownGainMAPを一定値にするマップとしている。
【００３４】
（２）車両停止状態においてブレーキペダル１３の踏み込みがあった場合には、（１）の制御の場合よりも更にフィードバック制動力FBbrakeForceが素早く減少するように、フィードバック制御における減少側ゲインBrakeDownGainを高くする補正を行う。
【００３５】
車体速度V0が目標速度TBVとなるようにフィードバック制動力FBbrakeForceを発生させている場合においてブレーキ操作が行われたときには、フィードバック制動力FBbrakeForceを素早く解除し、ドライバのブレーキ操作に基づくＷ／Ｃ圧の昇圧に変更する方がドライバの操作に合致した制動力を発生させられる。例えば、ブレーキ操作が行われることがクロール制御の終了条件とされるが、その場合にはクロール制御におけるフィードバック制動力FBbrakeForceを素早く解除し、ドライバのブレーキ操作に基づくＷ／Ｃ圧の昇圧に変更する方がドライバの操作に合致した制動力を発生させられる。このため、車両停止状態においてブレーキペダル１３の踏み込みが合った場合に、更に減少側ゲインBrakeDownGainを高くする補正を行うことで、クロール制御におけるフィードバック制動力については素早く解除できるようにする。
【００３６】
（３）車両停止状態において車両が停止した路面の坂路勾配が急勾配である場合には、緩勾配のときと比べて、フィードバック制御における減少側ゲインBrakeDownGainを低くする補正を行う。坂路勾配が急勾配の場合、制動力を低下させてブレーキを抜いたときに加速し易くなるが、加速した場合に直ぐには車両を停止させることができない。このため、坂路勾配が急勾配である場合には緩勾配のときよりも減少側ゲインBrakeDownGainを低くすることで、緩やかに制動力が低下させられるようにし、車両が加速し難くなるようにする。フィードバック制御における減少側ゲインBrakeDownGainについては、例えば坂路勾配と減少側ゲインBrakeDownGainとの関係を示したマップを作成し、そのマップに示されるマップゲインBrakeDownSlopeGainMAPを用いて減少側ゲインBrakeDownGainを設定できる。
【００３７】
図３は、路面勾配と減少側ゲインBrakeDownGainとの関係を示したマップの一例を示した図である。この図に示すように、例えば、路面勾配が大きくなるほど減少側ゲインBrakeDownGainが小さな値となるようなマップゲインBrakeDownSlopeGainMAPとすることができる。ここでは、路面勾配が所定値（例えば、−１１．５ｄｅｇ）までは路面勾配が負側に大きくなるのに従って所定の勾配でマップゲインBrakeDownSlopeGainMAPを低下させ、路面勾配が所定値以下になるとマップゲインBrakeDownSlopeGainMAPの低下勾配をより大きくしたマップとしている。このマップゲインBrakeDownSlopeGainMAPを減少側ゲインBrakeDownGainに掛けることで、減少側ゲインBrakeDownGainを補正することができる。
【００３８】
（４）上記した（１）、（２）の制御によって減少側ゲインBrakeDownGainを高くする補正を行う場合において、２系統に分けられる制動系について、減少側ゲインBrakeDownGainを変えるようにする。
【００３９】
例えば、２系統のうちのいずれか一系統のみについて減少側ゲインBrakeDownGainを高くする補正を行い、他系統については補正を行わないようにする。このようにすれば、４輪すべてにおいてブレーキ抜けが早く行われた場合に生じるブレーキの抜き過ぎを防止できる。この場合において、制動系が前後配管とされている場合、両前輪ＦＲ、ＦＬの方については減少側ゲインBrakeDownGainFrontを高くする補正を行わず、両後輪ＲＲ、ＲＬの方についてのみ減少側ゲインBrakeDownGainRearを高くする補正を行うようにすると好ましい。例えば下り坂においては、両後輪ＲＲ、ＲＬについて両前輪ＦＲ、ＦＬよりも先にブレーキが抜けるようにした方が車両の安定性が高くなる。このため、両後輪ＲＲ、ＲＬの方についてのみ減少側ゲインBrakeDownGainRearを高くする補正を行うことで、両後輪ＲＲ、ＲＬについて両前輪ＦＲ、ＦＬよりも先にブレーキが抜けるようにでき、車両の安定性を高めることが可能となる。
【００４０】
図４は、減少側ゲインBrakeDownGainと後輪ＲＲ、ＲＬ側の減少側ゲインBrakeDownGainRearの関係を示すマップの一例を示した図である。この図に示すように、例えば、減少側ゲインBrakeDownGainが大きくなるほど後輪ＲＲ、ＲＬ側の減少側ゲインBrakeDownGainRearも大きくするが、減少側ゲインBrakeDownGainが大きくなるほど、減少側ゲインBrakeDownGainよりも後輪ＲＲ、ＲＬ側の減少側ゲインBrakeDownGainRearの方が大きくなる割合が少なくなるマップゲインBrakeDownGainMAPRearとすることができる。
【００４１】
なお、制動系がＸ配管とされる場合も同様のことが行え、右前輪ＦＲと左後輪ＲＬの組み合わせと左前輪ＦＬと右後輪ＲＲの組み合わせのいずれか一方については減少側ゲインBrakeDownGainを高くする補正を行い、他方については減少側ゲインBrakeDownGainを高くする補正を行わないようにすることができる。さらには、制動系の配管にかかわらず、前後で減少側ゲインBrakeDownGainの補正を変えるようにしても良い。
【００４２】
以上のように、クロール制御を実行する際には、上記した（１）〜（４）の制御を実行するようにしている。続いて、このようにして実行されるクロール制御の詳細について説明する。図５（ａ）、（ｂ）は、ＴＲＣを含めたクロール制御の全体を示したフローチャートである。以下、この図を参照して、ＴＲＣを含めたクロール制御の詳細について説明する。
【００４３】
まず、ステップ１００では、各種入力処理を行う。具体的には、各車輪速度センサ２０ＦＬ〜２０ＲＲの検出信号、加速度センサ２５の検出信号を入力することで、各車輪ＦＬ〜ＲＲの車輪速度VW**を演算すると共に車両の前後加速度Gxを演算する。なお、車輪速度VW**に付した添え字の**は、ＦＬ〜ＲＲのいずれかを示しており、VW**は対応する各車輪ＦＬ〜ＲＲの車輪速度を統括的に表記したものである。以下の説明においても、添え字の**はＦＬ〜ＲＲのいずれかを示しているものとする。
【００４４】
また、Ｍ／Ｃ圧センサ２２の検出信号を入力してＭ／Ｃ圧を検出したり、アクセル開度、駆動力、副変速機２ｂのギヤ位置、すなわちＨ４とＬ４のいずれに位置しているかをエンジンＥＣＵ１０などから車載ＬＡＮ１２を通じて入力する。さらに、クロールスイッチ２３および目標速度設定スイッチ２４の検出信号を入力し、ドライバがクロール制御を要求していて目標速度選択を行っている状態であるか否かを検出する。
【００４５】
次に、ステップ１０５に進み、クロール制御の実行条件を満たしているか否か、具体的には、副変速機２ｂのギア位置がＬ４、つまりオフロードなどで用いられる低速ギアのギア比が設定されており、かつ、クロールスイッチ２３がオンされているか否かを判定する。ここで、肯定判定されればクロール制御の実行条件を満たしているためステップ１１０に進んでクロール制御許可を示すフラグをセットし、否定判定されればクロール制御の実行条件を満たしていないためステップ１１５に進んでクロール制御禁止を示すフラグをセットする。
【００４６】
続いて、ステップ１２０に進み、各車輪速度VW**に基づいて車体速度V0を演算する。さらに、ステップ１２５に進み、車体速度V0を時間微分することで車体加速度DV0を演算する。
【００４７】
その後、ステップ１３０に進み、坂路勾配SLOPEを演算する。まず、車体加速度DV0とステップ１００で加速度センサ２５の検出信号に基づいて演算した車両の前後加速度Gxとの差が重力加速度成分に相当することから、坂路勾配SLOPE＝ｓｉｎ-1｛（Gx−DV0）／9.8｝の演算式を用いて、坂路勾配SLOPEを演算する。
【００４８】
続いて、ステップ１３５に進み、ドライバのブレーキ操作による制動力FOOTBRAKEを演算する。例えば、ステップ１００で入力したＭ／Ｃ圧に基づいて、Ｍ／Ｃ圧と対応する制動力FOOTBRAKEを演算する。Ｍ／Ｃ圧と制動力FOOTBRAKEとの関係については、予め実験などによって調べておけるため、その関係を示すマップなどを作成しておき、そのマップを用いてＭ／Ｃ圧に応じた制動力FOOTBRAKEを演算すれば良い。
【００４９】
また、ステップ１４０に進み、目標速度TBVを演算する。目標速度TBVは、基本的にはドライバが目標速度設定スイッチ２４で設定した速度範囲（例えば１〜５ｋｍ／ｈ）内の速度とされるが、ドライバが目標速度TBVの切替えを行った場合には、切替え後の目標速度TBVに急に変化させるのではなく、切り替え前の目標速度TBVから徐々に切り替え後の目標速度TBVに変化させるようにフィルタを掛けるようにしている。例えば、切り替え前の目標速度TBVから切り替え後の目標速度TBVに一定勾配で変化させるようにしており、その勾配が目標減速度（もしくは目標加速度）となる。
【００５０】
このようにして、各種パラメータの演算が完了すると、ステップ１４５においてクロール制御が禁止されているか否かを判定する。そして、禁止されていればステップ１５０においてフィードバック演算におけるフィードバック制動力FBbrakeForceを０［Ｎ］に設定すると共に、ステップ１５５において各輪ＦＬ〜ＲＲのＷ／Ｃ圧の目標圧TargetPress**を０［ＭＰａ］に設定してクロール制御を行わないようにし、禁止されていなければステップ１６０に進む。
【００５１】
ステップ１６０では、通常の制御ゲイン設定を行う。すなわち、フィードバック制御によるブレーキ制御を実行するために通常設定しているフィードバックゲインBrakeGainの設定、例えばＰＩＤ制御におけるＰ項、Ｉ項、Ｄ項のゲインの設定を行う。このときのゲインは、ブレーキ制御として一般的に行われている通常のゲインを設定している。
【００５２】
続いて、ステップ１６５に進み、上記した（１）〜（４）の各制御によってフィードバックゲインBrakeGainにおける減少側ゲインBrakeDownGainの補正演算を行う。図６は、この処理の詳細を示したフローチャートである。なお、ここでは制動系が前後配管にて構成されている場合を想定したフローチャートとしている。
【００５３】
まず、ステップ１６５ａでは、車体速度V0が０ｋｍ／ｈであるか否か、つまり車両停止状態であるか通常走行状態であるかを判定している。ここで否定判定されれば、通常走行状態であり、上記した（１）〜（４）の制御を行う必要がないため、ステップ１６５ｂに進んで両前輪ＦＲ、ＦＬにおける減少側ゲインBrakeDownGainFront および両後輪ＲＲ、ＲＬにおける減少側ゲインBrakeDownGainFront に掛けられる補正値を共に１．０に設定し、減少側ゲインBrakeDownGainが通常の制御ゲインのままとなるようにする。そして、ステップ１６５ａで肯定判定されて車両停止状態である場合には、ステップ１６５ｃに進む。
【００５４】
ステップ１６５ｃでは、ステップ１６５ａの判定結果から車両停止状態であるため、（１）の制御として、通常走行状態と比較して制動トルクがより素早く減少するように、フィードバック制御における減少側ゲインBrakeDownGainを高くする補正を行う。具体的には、上記した図２に示すマップから車両停止時間に対応するマップゲインBrakeDownGainMAPを選択し、それを減少側ゲインBrakeDownGainに設定する。
【００５５】
その後、ステップ１６５ｄに進み、制動状態であるか否か、つまりドライバによるブレーキペダル１３の踏み込みがあったか否かを判定する。ここで肯定判定された場合には、ステップ１６５ｅに進み、（２）の制御として、（１）の制御の場合よりも更に制動トルクが素早く減少するように、フィードバック制御における減少側ゲインBrakeDownGainを高くする補正を行う。具体的には、ステップ１６５ｃで設定した減少側ゲインBrakeDownGainを高くすべく、この減少側ゲインBrakeDownGainに対して制動時ゲイン増大係数KGain（例えば２．０）を掛けた値を新たな減少側ゲインBrakeDownGainとする。そして、ステップ１６５ｆに進む。一方、ステップ１６５ｄで否定判定された場合には、ステップ１６５ｅを経ることなくステップ１６５ｆに進む。
【００５６】
ステップ１６５ｆでは、（３）の制御として、坂路勾配に応じてフィードバック制御における減少側ゲインBrakeDownGainを補正する。具体的には、上記した図３に示すマップを用いて、坂路勾配に応じたマップBrakeDownSlopeGainMAPを選択し、それを新たに減少側ゲインBrakeDownGainに掛けることで新たな減少側ゲインBrakeDownGainとする。
【００５７】
そして、ステップ１６５ｇに進み、（４）の制御として、上記した（１）、（２）の制御によって減少側ゲインBrakeDownGainを高くする補正を行う場合において、２系統に分けられる制動系について、減少側ゲインBrakeDownGainを変えるようにする。ここでは、両前輪ＦＲ、ＦＬの方については減少側ゲインBrakeDownGainFrontを高くする補正を行わず、両後輪ＲＲ、ＲＬの方についてのみ減少側ゲインBrakeDownGainRearを高くする補正を行うようにしている。すなわち、前輪ＦＲ、ＦＬの方については、ステップ１６５ｆまでに演算された減少側ゲインBrakeDownGainをそのまま減少側ゲインBrakeDownGainFrontとして設定する。そして、両後輪ＲＲ、ＲＬの減少側ゲインBrakeDownGainRearについては、上記した図４に示すマップを用いて、ステップ１６５ｆまでに演算された減少側ゲインBrakeDownGainと対応する後輪ＲＲ、ＲＬ側の減少側ゲインBrakeDownGainMapRearを選択し、それを減少側ゲインBrakeDownGainRearとして設定する。
【００５８】
このようにして、（１）〜（４）の制御に基づく減少側ゲインBrakeDownGainの補正値が演算される。この後、図５（ｂ）のステップ１７０に進み、クロール制御におけるブレーキ制御において、Ｗ／Ｃ圧を減少させる減圧時のゲイン補正として、ステップ１６０で設定される通常設定されるフィードバックゲインBrakeGainに対して、ステップ１６５で演算した減少側ゲインBrakeDownGainFrontもしくは減少側ゲインBrakeDownGainRearを掛けることで、前輪ＦＲ、ＦＬや後輪ＲＲ、ＲＬそれぞれのフィードバックゲインBrakeGainを補正する。
【００５９】
そして、ステップ１７５に進み、最終的なフィードバック制動力FBbrakeForceの演算を行う。具体的には、前回の制御周期のときのフィードバック制動力FBbrakeForce（前回値）を用いて、このフィードバック制動力FBbrakeForce（前回値）に対して、車体速度V0と目標速度TBVとの偏差にステップ１７０で演算したフィードバックゲインBrakeGainおよび制動力変換用の係数を掛けた値を足すことで、最終的なフィードバック制動力FBbrakeForceを演算している。
【００６０】
さらに、ステップ１８０に進み、ステップ１７５で演算したフィードバック制動力FBbrakeForceを各輪制動力に換算する。ここでは、フィードバック制動力FBbrakeForceに対して各輪ＦＬ〜ＲＲの配分を決める各輪制動力ゲインEachBrakeGain**を掛けることで、各輪制動力BrakeForce**を演算している。各輪制動力ゲインEachBrakeGain**は、通常は４つの車輪ＦＬ〜ＲＲで均一となるように１／４とされるが、前輪ＦＲ、ＦＬの方の配分が後輪ＲＲ、ＲＬよりも大きくなるように前後輪で配分を変えてあっても良い。そして、ステップ１８５に進み、ステップ１８０で演算した各輪制動力BrakeForce**に対して液圧換算値を掛けることにより、各輪ＦＬ〜ＲＲのＷ／Ｃ圧の目標圧TargetPress**を演算する。
【００６１】
この後は、ＴＲＣを加味した制御として、ステップ１９０においてＴＲＣの制御中であるか否かを判定し、制御中であればステップ１９５に進んでTRC要求液圧演算として、ＴＲＣにより要求されているTRC要求液圧TrcTargetPress**を演算する。そして、ステップ２００に進んでステップ１９５で求めた各輪ＦＬ〜ＲＲのＷ／Ｃ圧の目標圧TargetPress**にTRC要求液圧TrcTargetPress**を足すことで、クロール制御およびＴＲＣを加味した最終的な各輪ＦＬ〜ＲＲのＷ／Ｃ圧の目標圧TargetPress**が演算される。なお、ＴＲＣの制御中であるか否かやTRC要求液圧TrcTargetPress**については、ＴＲＣを実行しているＥＣＵ（ブレーキＥＣＵ１９もしくはエンジンＥＣＵ１０のいずれか）より取得することができる。
【００６２】
以上のようにして、クロール制御およびＴＲＣを加味した最終的な各輪ＦＬ〜ＲＲのＷ／Ｃ圧の目標圧TargetPress**が演算されると、その目標圧TargetPress**を発生させられるように、ブレーキアクチュエータ１５が制御され、Ｗ／Ｃ１６ＦＬ〜１６ＲＲのＷ／Ｃ圧が制御される。
【００６３】
図７および図８は、本実施形態で説明したフィードバック制御における減少側ゲインBrakeDownGainの補正を実行した場合を示したタイムチャートである。
【００６４】
図７に示すように、下り坂において、車体速度V0が低下して車両停止状態になると、その時点でフィードバック制御における減少側ゲインBrakeDownGainが大きくなって、急峻にＷ／Ｃ圧が低下させられる。このため、クロール制御を実行している場合のように、基本的にはドライバは車両を停止させようとしていないと考えられる状況において車両停止状態となった場合に、フィードバック制御におけるブレーキ制御の制御量がより素早く低下するような補正を行うことができる。これにより、より素早くブレーキが抜けるように応答性を高くでき、よりドライバの違和感を緩和することが可能となる。
【００６５】
そして、車体速度V0が復帰してきたときには、再びフィードバック制御における減少側ゲインBrakeDownGainが通常走行時の値に戻され、車体速度V0と目標速度TBVとの偏差に基づいたフィードバック制御が行われるようになる。なお、図６中において、車体速度V0が再び正（V0＞０）になってから車体速度V0が目標速度TBV以下の状態なのに、フィードバック制御に基づくＷ／Ｃ圧の制御圧が緩やかに増加している期間がある。これは、ＰＩＤ制御などによって行っているフィードバック制御のＤ項によって加速度成分に応じた制動力フィードバックがあり、車体速度V0が目標速度TBV以下の状態であってもＷ／Ｃ圧の制御圧が増加させられるためである。
【００６６】
一方、図８に示すように、車両た停止した路面の坂路勾配が急勾配である場合には、緩勾配のときと比較して、フィードバック制御における減少側ゲインBrakeDownGainが小さくなるため、Ｗ／Ｃ圧の低下が緩やかになる。これにより、坂路勾配が急勾配の場合に、制動力を低下させてブレーキを抜いたときに加速し易くなるのにもかかわらず、Ｗ／Ｃ圧が急峻に低下させられてしまうことを防止できる。
【００６７】
（他の実施形態）
本発明は上記した実施形態に限定されるものではなく、特許請求の範囲に記載した範囲内において適宜変更が可能である。
【００６８】
例えば、上記実施形態では、各車輪ＦＬ〜ＲＲの制動力を制御することで車体速度を低速に保つ制御の一例としてクロール制御を挙げた。しかしながら、これは単なる一例を示したに過ぎず、他の制御、例えばダウンヒルアシスト制御（ＤＡＣ）についても同様のことが言える。ダウンヒルアシスト制御の場合もクロール制御と同様であり、上記した第１実施形態で説明したクロール制御の部分をすべてダウンヒルアシスト制御に置き換えれば良い。
【００６９】
なお、各図中に示したステップを含めて、ブレーキＥＣＵ１９中において各種処理を実行している部分が各種処理を実行する手段に対応するものである。例えば、ステップ１６５ａの処理を実行する部分が走行状態判定手段、ステップ１６５ｃ〜１６５ｇの処理を実行する部分がゲイン補正手段、ステップ１６５ｄの処理を実行する部分がブレーキ操作判定手段に相当する。また、ステップ１３０勾配取得手段、ステップ１７０の処理を実行する部分がフィードバック制御手段に相当する。
【符号の説明】
【００７０】
１…エンジン、２…トランスミッション、２ａ…変速機、２ｂ…副変速機、３…駆動力配分制御アクチュエータ、１０…エンジンＥＣＵ、１１…アクセルペダル、１１ａ…アクセルスイッチ、１２…ＬＡＮ、１３…ブレーキペダル、１４…Ｍ／Ｃ、１５…ブレーキアクチュエータ、１６…Ｗ／Ｃ、１９…ブレーキＥＣＵ、２０ＦＬ〜２０ＲＲ…車輪速度センサ、２１…ブレーキスイッチ、２１…ブレーキペダル、２２…Ｍ／Ｃ圧センサ、２３…スイッチ、２３…クロールスイッチ、２４…目標速度設定スイッチ、２５…加速度センサ
【図１】
2015047897.tif 000003
【図２】
2015047897.tif 000004
【図３】
2015047897.tif 000005
【図４】
2015047897.tif 000006
【図５（ａ）】
2015047897.tif 000007
【図５（ｂ）】
2015047897.tif 000008
【図６】
2015047897.tif 000009
【図７】
2015047897.tif 000010
【図８】
2015047897.tif 000011